(57)【要約】  本発明は通信の技術分野に関し、帯域幅情報通知方法、サービス処理方法、ネットワークノードおよび通信システムを開示する。帯域幅情報通知方法は、リンクの位置するサービス接続を通してリンクの現在の帯域幅情報を得ることと、帯域幅情報をサービス接続のエンドポイントに送信することとを含み、このようにして、帯域幅情報に従ってサービス接続のエンドポイントがサービスポリシーの調整を行うことを可能にする。本発明に提供される技術的解決は、マイクロウェーブリンクの自動適合変調の後に、マイクロウェーブリンクの位置するサービス接続のエンドポイントが帯域幅情報を得ることを可能にする。
2013502779.tif 000002
【特許請求の範囲】
【請求項１】
リンクの現在の帯域幅情報を取得することと、
サービス接続のエンドポイントが前記帯域幅情報に従ってサービスポリシーを調整するように、前記リンクを通過する前記サービス接続を介して前記サービス接続の前記エンドポイントに前記帯域幅情報を送信することと、
を含む、帯域幅情報通知方法。
【請求項２】
前記リンクがマイクロウェーブリンクであり、前記リンクの前記現在の帯域幅情報の取得することが、
前記マイクロウェーブリンクの現在の変調モードを検出することと、
前記現在の変調モードにおける前記マイクロウェーブリンクの帯域幅情報を取得することと、
を含む、請求項１に記載の帯域幅情報通知方法。
【請求項３】
前記現在の変調モードにおける前記マイクロウェーブリンクの前記帯域幅情報を取得する前に、
前記現在の変調モードが最適変調モードよりも低いかどうかを判断し、前記現在の変調モードが前記最適変調モードよりも低い場合、前記現在の変調モードにおける前記マイクロウェーブリンクの前記帯域幅情報を取得することをさらに含む、
請求項２に記載の帯域幅情報通知方法。
【請求項４】
前記マイクロウェーブリンクの前記現在の変調モードが前記最適モードであることが検出される場合、前記サービス接続の前記エンドポイントが通常のサービスポリシーを用いてサービス処理を実行するように、前記帯域幅情報を前記サービス接続の前記エンドポイントに送信することを停止する、
請求項３に記載の帯域幅情報通知方法。
【請求項５】
警告指示抑制メッセージまたは新しい操作、管理、および保守メッセージによって前記帯域幅情報を送信する、
請求項１から４のいずれか一項に記載の帯域幅情報通知方法。
【請求項６】
リンクの現在の帯域幅情報を受信し、前記帯域幅情報が前記リンクにより接続されたネットワークノードによって送信されることと、
帯域幅情報とサービスポリシーとの間の関係に対応する予め設定に従って、前記帯域幅情報に対応するサービスポリシーを決定することと、
前記帯域幅情報に対応する前記サービスポリシーに従ってサービス処理を実行することと、
を含む、サービス処理方法。
【請求項７】
前記サービスポリシーが、サービスポリシーの品質、またはサービス切り換えポリシー、またはアクセス制御ポリシーである、
請求項６に記載のサービス処理方法。
【請求項８】
リンクの現在の帯域幅情報を取得するように構成される取得ユニットと、
サービス接続のエンドポイントが前記帯域幅情報に従ってサービスポリシーを調整するように、前記リンクを通過する前記サービス接続を介して前記取得ユニットによって取得された前記帯域幅情報を前記サービス接続の前記エンドポイントに送信するように構成される送信ユニットと、
を含む、ネットワークノード。
【請求項９】
前記リンクがマイクロウェーブリンクであり、
前記ネットワークノードが、前記マイクロウェーブリンクの現在の変調モードを検出するように構成される検出ユニットをさらに含み、
前記取得ユニットが、前記検出ユニットによって検出される前記現在の変調モードにおける前記マイクロウェーブリンクの帯域幅情報を取得するように構成される、
請求項８に記載のネットワークノード。
【請求項１０】
前記検出ユニットによって検出される前記現在の変調モードが最適変調モードよりも低いかどうかを判断するように構成される判断ユニットをさらに含み、
前記検出ユニットによって検出される前記現在の変調モードが前記最適変調モードよりも低いと前記判断ユニットが判断するとき、前記取得ユニットが、前記検出ユニットによって検出される前記現在の変調モードにおける前記マイクロウェーブリンクの帯域幅情報を取得するように構成される、
請求項９に記載のネットワークノード。
【請求項１１】
前記判断ユニットが前記マイクロウェーブリンクの前記現在の変調モードが前記最適変調モードであると判断するとき、前記サービス接続の前記エンドポイントが通常のサービスポリシーを用いてサービス処理を実行するように、前記送信ユニットが前記サービス接続の前記エンドポイントに前記帯域幅情報を送信するのを停止するようにさらに構成される、
請求項１０に記載のネットワークノード。
【請求項１２】
リンクの現在の帯域幅情報を受信するように構成され、前記帯域幅情報が前記リンクにより接続されたネットワークノードによって送信される受信ユニットと、
帯域幅情報とサービスポリシーとの間の予め設定された対応関係に従って、前記受信ユニットによって受信される前記帯域幅情報に対応するサービスポリシーを決定するように構成される決定ユニットと、
前記調整ユニットによって決定される前記サービスポリシーに従ってサービス処理を実行するように構成される処理ユニットと、
を含む、ネットワークノード。
【請求項１３】
請求項８〜１２のいずれか一項に記載のネットワークノードを含む、
通信システム。
【発明の詳細な説明】
【技術分野】
【０００１】
本発明は通信技術の分野に関し、詳細には帯域幅情報通知方法、サービス処理方法、ネットワークノード、および通信システムに関する。
【背景技術】
【０００２】
インターネットプロトコル（ＩＰ：Ｉｎｔｅｒｎｅｔ  Ｐｒｏｔｏｃｏｌ）サービスは急速に増加し、時分割多重（ＴＤＭ：Ｔｉｍｅ  Ｄｉｖｉｓｉｏｎ  Ｍｕｌｔｉｐｌｅｘｉｎｇ）サービスを置き換えることによって徐々にサービスの主要な種類になっている。また、ネットワークの通信量も急速に増加している。従来のシンクロナス・デジタル・ハイラアラーキー（ＳＤＨ：Ｓｙｎｃｈｒｏｎｕｓ  Ｄｉｇｉｔａｌ  Ｈｉｅｒａｒｃｈｙ）／マルチサービス・トランスポート・プラットホーム（ＭＳＴＰ：Ｍｕｌｔｉ−Ｓｅｒｖｉｃｅ  Ｔｒａｎｓｐｏｒｔ  Ｐｌａｔｆｏｒｍ）装置はパケットサービスの統計的多重送信の特徴を完全に用いることができず、他の態様におけるますます厳密となっている帯域幅要求を満たすことはできない。したがって、ＳＤＨ装置はパケット・トランスポート・ネットワーク（ＰＴＮ：Ｐａｃｋｅｔ  Ｔｒａｎｓｐｏｒｔ  Ｎｅｔｗｏｒｋ）装置によって置き換えられつつある。
【０００３】
一方、マイクロウェーブ装置はオペレータのネットワークに広く用いられている。現在、ＳＤＨマイクロウェーブ装置およびプレシオクロナス・デジタル・ハイラアラーキー（ＰＤＨ：Ｐｌｅｓｉｏｃｈｒｏｎｏｕｓ  Ｄｉｇｉｔａｌ  Ｈｉｅｒａｒｃｈｙ）マイクロウェーブ装置が一般に展開されている。ＰＴＮ装置がＳＤＨ装置を置き換えると、それに応じてパケットのマイクロウェーブ装置はＳＤＨ／ＰＤＨマイクロウェーブ装置の置き換えが始まり、最近広く用いられている。パケットマイクロウェーブ装置は、１つ以上のマイクロウェーブインターフェースを有するパケット装置を指す。
【０００４】
マイクロウェーブリンクは、天候が変化した際に適応変調（ＡＭ：Ａｄａｐｔｉｖｅ  Ｍｏｄｕｌａｔｉｏｎ）を行うことができる点でファイバーリンクとは異なり、これはマイクロウェーブリンクの帯域幅変化を招く。さらに、帯域幅の変化は限定的である。トランスポートネットワークは一般に極めて高い操作、管理、および保守（ＯＡＭ：Ｏｐｅｒａｔｉｏｎ，Ａｄｍｉｎｉｓｔｒａｔｉｏｎ  ａｎｄ  Ｍａｎａｇｅｍｅｎｔ）を機能を必要とする。しかし、ＰＴＮ、ＯＡＭの現在の機能はいくつかの一般的な操作だけである。
【発明の概要】
【発明が解決しようとする課題】
【０００５】
先行技術の調査の間に、発明者は、現在のＰＴＮ  ＯＡＭの機能はいくつかの一般的な操作のみであり、したがって、マイクロウェーブリンクは適応変調を実行した後にマイクロウェーブリンクを通過するサービス接続のエンドポイントに通知することができず、サービス接続のエンドポイントはなお適応変調を適用する前の帯域幅情報に従ってトラフィック制御を行うので、エンドポイントのサービスが混雑することを見出した。
【課題を解決するための手段】
【０００６】
本発明の実施形態は、リンクを通過するサービス接続のエンドポイントが現在のリンクの帯域幅情報を得ることができるように、帯域幅情報通知方法、サービス処理方法、ネットワークノード、および通信システムを提供する。
【０００７】
本発明の一実施形態は、
リンクの現在の帯域幅情報を取得することと、
サービス接続のエンドポイントが帯域幅情報に従ってサービスポリシーを調整するように、リンクを通過するサービス接続のエンドポイントに帯域幅情報を送信することと、
を含む帯域幅情報通知方法を提供する。
【０００８】
さらに、本発明の一実施形態は、
リンクの現在の帯域幅情報を受信し、リンクにより接続されたネットワークノードによって帯域幅情報が送信されることと、
帯域幅情報とサービスポリシーとの間の予め設定された対応関係に従って、帯域幅情報に対応するサービスポリシーを決定することと、
帯域幅情報に対応するサービスポリシーに従ってサービス処理を実行することと、
を含むサービス処理方法を提供する。
【０００９】
さらに、本発明の一実施形態は、
リンクの現在の帯域幅情報を取得するように構成される取得ユニットと、
サービス接続のエンドポイントが帯域幅情報に従ってサービスポリシーを調整するように、リンクを通過するサービス接続のエンドポイントに取得ユニットによって取得された帯域幅情報を送信するように構成される送信ユニットと、
を含むネットワークノードを提供する。
【００１０】
さらに、本発明の一実施形態は、
リンクの現在の帯域幅情報を受信し、帯域幅情報がリンクにより接続されたネットワークノードによって送信されるように構成される受信ユニットと、
帯域幅情報とサービスポリシーとの間の予め設定された対応関係に従って、受信ユニットによって受信される帯域幅情報に対応するサービスポリシーを決定するように構成される決定ユニットと、
調整ユニットによって決定されたサービスポリシーに従ってサービス処理を実行するように構成される処理ユニットと、
を含むネットワークノードを提供する。
【００１１】
さらに、本発明の一実施形態は本発明の一実施形態に提供されるネットワークノードを含む通信システムを提供する。
【発明の効果】
【００１２】
本発明の実施形態に提供される前述の技術的な解決から、本発明の実施形態において、現在の変調モードにおけるマイクロウェーブリンクの帯域幅情報を取得することができ、帯域幅情報がマイクロウェーブリンクを通過するサービス接続のエンドポイントに送信できることが分かる。したがって、サービス接続のエンドポイントは、帯域幅情報に従ってサービスポリシーを調整することができ、マイクロウェーブリンクの帯域幅がサービスの要求を満たし、サービスの混雑を回避できる。
【００１３】
本発明の実施形態における技術的解決をさらに明瞭に説明するために、実施形態の説明に必要な添付図面を以下に簡単に示す。明らかに、以下の説明の添付図面はいくつかの実施形態であり、当業者であれば創造的な努力なしにこれらの添付図面から他の図面を導くことができよう。
【図面の簡単な説明】
【００１４】
【図１】本発明の第１実施形態による帯域幅情報通知方法のフローチャートである。
【図２】本発明の第２実施形態による帯域幅情報通知方法のフローチャートである。
【図３】本発明の一実施形態によるサービス処理方法のフローチャートである。
【図４】本発明の第３実施形態および第４実施形態による帯域幅情報通知方法における端末−端末接続のトポロジー図である。
【図５】本発明の第１実施形態によるネットワークノードの構造図である。
【図６】本発明の第２実施形態によるネットワークノードの構造図である。
【図７】本発明の第３実施形態によるネットワークノードの構造図である。
【発明を実施するための形態】
【００１５】
本発明の実施形態における技術的解決は、本発明の実施形態における添付図面を参照して以下に明瞭かつ完全に説明される。明らかに、説明される実施形態は本発明の実施形態の全てではなく一部にすぎない。当業者によって創造的努力なしに得られる全ての他の実施形態は本発明の保護範囲に含まれる。
【００１６】
本発明の一実施形態に提供される帯域幅情報通知方法を最初に説明する。図１は、第１実施形態による帯域幅情報通知方法の手順を示す。この実施形態において、マイクロウェーブリンクにより接続されたネットワークノードの処理手順が説明される。
【００１７】
１０１：マイクロウェーブリンクの現在の変調モードを検出する。
検出は、リアルタイム監視または周期的検出とすることができる。
【００１８】
１０２：現在の変調モードにおけるマイクロウェーブリンクの帯域幅情報を得る。
【００１９】
マイクロウェーブリンクの帯域幅は様々な変調モードで異なり、各変調モードにおけるマイクロウェーブリンクの帯域幅は限定的である。したがって、マイクロウェーブリンクの現在の変調モードが決定されると、対応する帯域幅情報を取得することができる。取得された帯域幅情報は帯域幅レベル指示情報または変調モード情報とすることができる。
【００２０】
例えば、マイクロウェーブリンクの最適変調モードは６４直交振幅変調（ＱＡＭ：Ｑｕａｄｒａｔｕｒｅ  Ａｍｐｌｉｔｕｄｅ  Ｍｏｄｕｌａｔｉｏｎ）であり、この変調モードにおける帯域幅は１Ｇｂｐｓであり、変調モードが１６ＱＡＭのとき、帯域幅は０．６Ｇｂｐｓであり、したがって、変調モードが６４ＱＡＭのとき、帯域幅レベル指示情報は１Ｇｂｐｓでもよく、変調モードが１６ＱＡＭのとき、帯域幅指示情報は０．６Ｇｂｐｓでもよく、変調モードが６４ＱＡＭのとき、変調モード情報は６４ＱＡＭでもよく、変調モードが１６ＱＡＭのとき、変調モード情報は１６ＱＡＭ変調モードでもよい。本発明の一実施形態において、帯域幅指示情報は特定の帯域幅値ではなく、帯域幅の値を表す数値とすることができる。例えば、７は１Ｇｂｐｓを表し、５は０．６Ｇｂｐｓを表す。したがって、６４ＱＡＭ変調モードの場合、帯域幅レベル指示情報は７とすることができ、１６ＱＡＭ変調モードの場合、帯域幅レベル指示情報は５とすることができる。詳細には、どの数字がどの帯域幅を表すかは必要に応じて構成することができる。
【００２１】
１０３：サービス接続のエンドポイントが帯域幅情報に従ってサービスポリシーを調整するように、マイクロウェーブリンクを通過するサービス接続を介してサービス接続のエンドポイントに帯域幅情報を送る。
【００２２】
マイクロウェーブリンクはサービス接続が通る複数のリンクの１つである。すなわち、サービス接続の２つのネットワークノード間の少なくとも１つのリンクはマイクロウェーブリンクである。サービス接続は、バーチャル・ローカル・エリア・ネットワーク（ＶＬＡＮ：Ｖｉｒｔｕａｌ  Ｌｏｃａｌ  Ａｒｅａ  Ｎｅｔｗｏｒｋ）接続、プロバイダー・バックボーン・ブリッジ−トラフィック・エンジニアリング・イーサネット（登録商標）・スイッチ・パス（ＰＢＢ−ＴＥ  ＥＳＰ：Ｐｒｏｖｉｄｅｒ  Ｂａｃｋｂｏｒｎｅ  Ｂｒｉｄｇｅ−Ｔｒａｆｆｉｃ  Ｅｎｇｉｎｅｅｒｉｎｇ  Ｅｔｈｅｒｎｅｔ（登録商標）  Ｓｗｉｔｃｈ  Ｐａｔｈ）接続などのイーサネット（登録商標）接続とすることができ、サービス接続は、マルチ・プロトコル・ラベル・スイッチ・ラベル・スイッチド・パス（ＭＰＬＳＬＳＰ：Ｍｕｌｔｉ  Ｐｒｏｔｏｃｏｌ  Ｌａｂｅｌ  Ｓｗｉｔｃｈ  Ｌａｂｅｌ  Ｓｗｉｔｃｈｅｄ  Ｐａｔｈ）接続などの非イーサネット（登録商標）接続とすることもでき、また、ラベル・スイッチド・パス（ＬＳＰ：Ｌａｂｅｌ  Ｓｗｉｔｃｈｅｄ  Ｐａｔｈ）接続とすることもできる。
【００２３】
帯域幅情報は帯域幅通知メッセージを介してマイクロウェーブリンクにより接続されたネットワークノードによって送られる。帯域幅通知メッセージはアラーム・インディケーション・シグナル／サプレッション（ＡＩＳ：Ａｌａｒｍ  Ｉｎｄｉｃａｔｉｏｎ  Ｓｉｇｎａｌ／Ｓｕｐｐｒｅｓｓｉｏｎ）メッセージ、または新しい操作、管理、および保守（ＯＡＭ：Ｏｐｅｒａｔｉｏｎ，Ａｄｍｉｎｉｓｔｒａｔｉｏｎ，ａｎｄ  Ｍａｉｎｔｅｎａｎｃｅ）メッセージとすることができる。
【００２４】
本発明の一実施形態において、帯域幅情報はＡＩＳメッセージを介してマイクロウェーブリンクを通過するサービス接続のエンドポイントに送ることができる。従来技術のＡＩＳメッセージは帯域幅情報を運ぶことができない。したがって、ＡＩＳメッセージが帯域幅情報を運ぶことができるように、従来技術のＡＩＳメッセージを拡張してもよい。
【００２５】
また、本発明の他の実施形態において、帯域幅情報は新しいＯＡＭメッセージを介して送ることができる。新しいＯＡＭメッセージは新しく規定されたＯＡＭメッセージでもよく、従来技術の他のＯＡＭメッセージを拡張することによって得られたメッセージでもよい。
【００２６】
前述のことから、この実施形態において、マイクロウェーブリンクにより接続されたネットワークノードは現在の変調モードにおけるマイクロウェーブリンクの帯域幅情報を取得して、マイクロウェーブリンクを通過するサービス接続のエンドポイントに帯域幅情報を送信することができることがわかる。したがって、サーバー接続のエンドポイントは帯域幅情報に従ってサービスポリシーを調整することができ、マイクロウェーブリンクの帯域幅がサービスの要求を満たし、サービスの混雑を回避できる。
【００２７】
図２は第２実施形態による帯域幅情報通知方法の手順を示す。この実施形態において、マイクロウェーブリンクにより接続されたネットワークノードの処理手順が説明される。
【００２８】
２０１：マイクロウェーブリンクの現在の変調モードを検出する。
検出はリアルタイム監視または周期的検出とすることができる。
【００２９】
２０２：現在の変調モードが最適変調モードよりも低いかどうかを判断する。現在の変調モードが最適変調モードよりも低い場合、ステップ２０３に進む。現在の変調モードが最適変調モードよりも低くない場合、ステップ２０１に進む。
【００３０】
２０３：現在の変調モードにおけるマイクロウェーブリンクの帯域幅情報を得る。
詳細な実施はステップ１０２を参照することができる。
【００３１】
２０４：サービス接続のエンドポイントが帯域幅情報に従ってサービスポリシーを調整するように、マイクロウェーブリンクを通過するサービス接続を介してサービス接続のエンドポイントに帯域幅情報を送る。
詳細な実施はステップ１０３を参照することができる。
【００３２】
前述のことから、この実施形態において、マイクロウェーブリンクの現在の変調モードが最適変調モードよりも低い場合、マイクロウェーブリンクにより接続されたネットワークノードは現在の変調モードにおけるマイクロウェーブリンクの帯域幅情報を取得して、マイクロウェーブリンクを通過するサービス接続のエンドポイントに帯域幅情報を送ることができることがわかる。したがって、サービス接続のエンドポイントは帯域幅情報に従ってサービスポリシーを調整することができ、マイクロウェーブリンクの帯域幅がサービスの要求を満たし、サービスの混雑を回避できる。
【００３３】
本発明の第２実施形態に提供される帯域幅情報通知方法において、マイクロウェーブリンクにより接続されたネットワークノードは、マイクロウェーブリンクの現在の変調モードが最適変調モードよりも低く検出されるときだけ、帯域幅情報を取得して送り、マイクロウェーブリンクの現在の変調モードが最適変調モードであることが検出される場合、マイクロウェーブリンクを通過するサービス接続のエンドポイントに帯域幅情報を送信するのを停止し、サービス接続のエンドポイントがサービス処理を実行する通常のサービスポリシーを用いて、マイクロウェーブリンクのリソースが完全に用いられるようにすることができる。
【００３４】
図３は一実施形態によるサービス処理方法の手順を示す。この実施形態において、マイクロウェーブリンクを通過するサービス接続のエンドポイントの処理手順が説明される。
【００３５】
３０１：現在の変調モードにおけるマイクロウェーブリンクの帯域幅情報を受信し、マイクロウェーブリンクにより接続されたネットワークノードによって帯域幅情報が送信される。
【００３６】
本発明の一実施形態において、受信された帯域幅情報は、ネットワークノードが現在の変調モードが最適変調モードよりも低いことを検出したとき、マイクロウェーブリンクにより接続されたネットワークノードによって周期的にまたは非周期的に送信することができる。
【００３７】
３０２：帯域幅情報とサービスポリシーとの間の予め設定された対応関係に従って、受信された帯域幅情報に対応するサービスポリシーを決定する。
【００３８】
帯域幅情報を受信した後に帯域幅情報に対応するサービスポリシーを決定できるように、帯域幅情報とサービスポリシーとの間の対応関係は予め設定してもよい。サービスポリシーは特にサービスの質（ＱｏＳ：Ｑｕａｌｉｔｙ  ｏｆ  Ｓｅｒｖｉｃｅ）ポリシー、またはアクセス制御ポリシー、またはサービス切り換えポリシーでもよい。
【００３９】
例えば、本発明の一実施形態において、帯域幅情報とＱｏＳポリシーとの間の対応関係を予め設定することができ、したがって、決定されたＱｏＳポリシーに従ってサービス処理が実行されるように、帯域幅情報を受信した後に、受信した帯域幅情報に対応するＱｏＳポリシーを決定することができる。詳細には、サービス接続のエンドポイントは帯域幅情報とサービスバッファー領域の境界との間の対応関係を予め設定してもよい。例えば、マイクロウェーブリンクの帯域幅が大きいとき、大きなサービスバッファー領域を設定することができ、マイクロウェーブリンクの帯域幅が小さいとき、小さなサービスバッファー領域を設定することができる。したがって、帯域幅情報を受信した後に、サービス接続のエンドポイントは、帯域幅情報の指示する帯域幅に対応する位置に境界を調整する。このようにして、サービスバッファー領域の大きさが調整され、ＱｏＳポリシーが調整される。
【００４０】
本発明の他の実施形態において、帯域幅情報とサービス切り換えポリシーとの間の対応関係を予め設定することができ、したがって、決定されたサービス切り換えポリシーに従ってサービスが保護パスに切り換えられるように、帯域幅情報が受信された後、受信された帯域幅情報に対応するサービス切り換えポリシーを決定することができる。異なるサービス切り換えポリシーに従って、サービスは部分的にまたは完全に保護パスに切り換えることができる。
【００４１】
複数の異なる帯域幅情報が受信される場合、複数の異なる帯域幅情報が複数の異なる帯域幅に対応し、この場合、最小帯域幅に対応する帯域幅情報が選択されることに留意すべきである。
【００４２】
３０３：受信された帯域幅情報に対応するサービスポリシーに従ってサービス処理を実行する。
【００４３】
詳細には、サービス処理は、帯域幅情報に対応するＱｏＳポリシー、または帯域幅情報に対応するアクセス制御ポリシー、または帯域幅情報に対応するサービス切り換えポリシーに従って実行することができる。
【００４４】
前述のことから、この実施形態において、マイクロウェーブリンクを通過するサービス接続のエンドポイントが現在の変調モードにおけるマイクロウェーブリンクの帯域幅情報を受信し、この帯域幅情報がマイクロウェーブリンクにより接続されたネットワークノードによって送られることがわかる。サービスポリシーは帯域幅情報に従って調整され、マイクロウェーブリンクの帯域幅がサービスの要求を満たし、サービスの混雑を回避できる。
【００４５】
本発明の他の実施形態において、マイクロウェーブリンクの現在の変調モードが最適変調モードよりも低く検出されるときだけ、マイクロウェーブリンクにより接続されたネットワークノードは帯域幅情報を取得して送信し、マイクロウェーブリンクを通過するサービス接続のエンドポイントが予め設定時間内に帯域幅情報を受信しない場合、マイクロウェーブリンクの現在の変調モードは最適変調モードであると考えられ、サービス処理は通常のサービスポリシーを用いることによって実行されて、マイクロウェーブリンクのリソースが完全に用いられる。通常のサービスポリシーは、通常のＱｏＳポリシー、または通常のアクセス制御ポリシー、または通常のサービス切り換えポリシーでもよい。サービスポリシーが通常のサービス切り換えポリシーであるとき、サービスは保護パスから動作パスに切り換えられる。
【００４６】
特定の例で、本発明の第３実施形態における帯域幅情報通知方法は以下に説明される。
【００４７】
図４は第３の実施形態による帯域幅情報通知方法におけるエンドツーエンドサービス接続のトポロジーを示す。図４に示すように、サービス接続はネットワークノードＡ、ネットワークノードＢ、ネットワークノードＣ、ネットワークノードＤ、ネットワークＥ、ネットワークＦを通る。ネットワークノードＣとネットワークノードＤとの間のリンクはマイクロウェーブリンクであり、ネットワークノードＡとネットワークノードＦはサービス接続のエンドポイントである。実施形態によっては、ネットワークノードＣとネットワークノードＤとの間のリンクはマイクロウェーブリンクであるが、本発明の原理には、任意の種類の通信リンク、例えば、様々な帯域幅を備えるサテライトリンク、パッシブ光ネットワークリンク、およびデジタル加入者ラインリンクに適用することができる。
【００４８】
通常の状況において、ネットワークノードＣとネットワークノードＤとの間のマイクロウェーブリンクは６４ＱＡＭ変調モードであり、対応する帯域幅は１Ｇｂｐｓであり、環境が変化するとき、例えば、降雨のとき、変調モードは１６ＱＡＭ変調モードに下がり、帯域幅は０．６Ｇｂｐｓに低下することが想定される。
【００４９】
現在の変調モードが最適変調モード６４ＱＡＭよりも低く検出されるとき、ネットワークノードＣおよびネットワークノードＤはサービス接続を介して（特にＬＳＰでもよい）ＡＩＳメッセージを送り、このＡＩＳメッセージは現在の変調モードにおけるマイクロウェーブリンクの帯域幅情報を運ぶように拡張される。詳細には、ネットワークノードＣはＡＩＳメッセージをエンドポイントＡまたはエンドポイントＦに送信してもよく、無論、ネットワークノードＣもエンドポイントＡとエンドポイントＦの両方にＡＩＳメッセージを送信してもよく、ネットワークノードＤはＡＩＳメッセージをエンドポイントＡまたはエンドポイントＦに送信し、無論、ネットワークノードＤもエンドポイントＡとエンドポイントＦの両方にＡＩＳメッセージを送信してもよい。
【００５０】
詳細には、ＡＩＳメッセージを拡張してリンクの帯域幅型長さ値（リンク帯域幅ＴＬＶ：ｌｉｎｋ  ｂａｎｄｗｉｄｔｈ  Ｔｙｐｅ−Ｌｅｎｇｔｈ−Ｖａｌｕｅ）オブジェクトを運ぶことができ、リンク帯域幅ＴＬＶオブジェクトは現在の変調モードにおけるマイクロウェーブリンクの帯域幅情報を運ぶ。詳細には、帯域幅情報は帯域幅レベル指示情報または変調モード情報でもよい。
【００５１】
この実施形態において、マイクロウェーブリンクにより接続されたネットワークノードはＡＩＳメッセージを介して帯域幅情報を運ぶことができ、また、新しいＯＡＭメッセージなどの他の特定の種類のメッセージを介して帯域幅情報を運んでもよいことに留意されたい。ＡＩＳメッセージおよび他の特定の種類のメッセージは帯域幅通知メッセージであると一律に理解される。現在の変調モードにおけるマイクロウェーブリンクの帯域幅情報を受信した後、ネットワークノードＡおよびネットワークノードＦは帯域幅情報に従ってサービスポリシーを調整することができる。
【００５２】
特定の実施モードは次の通りとすることができる。帯域幅情報とＱｏＳポリシーとの間の対応関係がネットッワークノードＡとネットワークノードＦ上で予め設定される。現在の変調モードにおけるマイクロウェーブリンクの帯域幅情報を受信するとき、ネットワークノードＡおよびネットワークノードＦは帯域幅情報に対応するＱｏＳポリシーを使用可能にし、したがって、サービスは入口（エンドポイントＡおよびエンドポイントＦ）で制御され、サービスがマイクロウェーブリンクを介するとき、混雑状況が回避される。
【００５３】
他の特定の実施モードは次の通りとすることができる。帯域幅情報とサービス切り換えポリシーとの間の対応関係がネットッワークノードＡとネットワークノードＦ上で予め設定される。現在の変調モードにおけるマイクロウェーブリンクの帯域幅情報を受信するとき、サービスが部分的または完全に保護パスに切り換えられるように、ネットワークノードＡおよびネットワークノードＦは帯域幅情報に対応するサービス切り換えポリシーを使用可能にする。
【００５４】
環境が良好になり、マイクロウェーブリンクが最適変調モードに回復するとき、ネットワークノードＣおよびネットワークノードＤはＡＩＳメッセージの送信を停止する。
【００５５】
帯域幅情報を運ぶＡＩＳメッセージが予め設定時間に受信される場合、エンドポイントＡおよびエンドポイントＦはサービス処理を実行する通常のサービスポリシーを用いることができる。
【００５６】
前述のことから、この実施形態において、マイクロウェーブリンクの現在の変調モードが最適変調モードよりも低い場合、マイクロウェーブリンクにより接続されたネットワークノードは現在の変調モードにおけるマイクロウェーブリンクの帯域幅情報を取得し、マイクロウェーブリンクを通過するサービス接続のエンドポイントに帯域幅情報を送信できることがわかる。したがって、サーバー接続のエンドポイントは帯域幅情報に従ってサービスポリシーを調整することができ、マイクロウェーブリンクの帯域幅がサービスの要求を満たし、サービスの混雑を回避できる。
【００５７】
本発明の第４実施形態に提供される帯域幅情報通知方法を、やはり例として図４に説明されているシナリオを取り上げて説明する。図４に示されるように、エンドツーエンドサービス接続はネットワークノードＡ、ネットワークノードＢ、ネットワークノードＣ、ネットワークノードＤ、ネットワークＥ、ネットワークＦを通過する。ネットワークノードＣとネットワークノードＤとの間のリンクはマイクロウェーブリンクであり、ネットワークノードＡとネットワークノードＦはサービス接続のエンドポイントである。
【００５８】
通常の状況において、ネットワークノードＣとネットワークノードＤとの間のマイクロウェーブリンクは６４ＱＡＭ変調モードであり、対応する帯域幅は１Ｇｂｐｓであり、環境が変化するとき、例えば、降雨のとき、変調モードは１６ＱＡＭ変調モードに下がり、帯域幅は０．６Ｇｂｐｓに低下することが想定される。
【００５９】
ネットワークノードＣおよびネットワークノードＤは現在の変調モードをリアルタイムで検出し、サービス接続を介して（特にＬＳＰでもよい）周期的に新しいＡＩＳメッセージを通常期間送信する。新しいＯＡＭメッセージは現在の変調モードにおけるマイクロウェーブリンクの帯域幅情報を運ぶ。詳細には、ネットワークノードＣは新しいＯＡＭメッセージをエンドポイントＡまたはエンドポイントＦに送信してもよく、無論、ネットワークノードＣもエンドポイントＡとエンドポイントＦの両方に新しいＯＡＭメッセージを送信してもよく、ネットワークノードＤは新しいＯＡＭメッセージをエンドポイントＡまたはエンドポイントＦに送信し、無論、ネットワークノードＤもエンドポイントＡとエンドポイントＦの両方に新しいＯＡＭメッセージを送信してもよい。変調モードが変化したことが検出されるとき、帯域幅の変化を即座に通知するように、いくつかのＯＡＭメッセージはより高い頻度で送信される。続いて、ＯＡＭメッセージは通常の期間送信される。例えば、新しいＯＡＭメッセージを送信する通常の期間は１秒であり、帯域幅が変化するとき、新しいＯＡＭメッセージの最初の３フレームは１０ミリ秒の期間送信され、続いて、新しいＯＡＭメッセージの送信期間は１秒に戻る。
【００６０】
詳細には、新しいＯＡＭメッセージおよびＡＩＳメッセージは帯域幅通知メッセージとして一律に理解される。新しいＯＡＭメッセージはリンク帯域幅ＴＬＶオブジェクトを運ぶことができ、リンク帯域幅ＴＬＶオブジェクトは帯域幅情報を運ぶ。詳細には、帯域幅情報は帯域幅レベル指示情報または変調モード情報とすることができる。
【００６１】
特定の実施モードは次の通りとすることができる。帯域幅情報とＱｏＳポリシーとの間の対応関係がネットッワークノードＡとネットワークノードＦ上で予め設定される。現在の変調モードにおけるマイクロウェーブリンクの帯域幅情報を受信するとき、ネットワークノードＡおよびネットワークノードＦは帯域幅情報に対応するＱｏＳポリシーを使用可能にし、したがって、サービスは入口（エンドポイントＡおよびエンドポイントＦ）で制御され、サービスがマイクロウェーブリンクを介するとき、混雑状況が回避される。
【００６２】
他の特定の実施モードは次の通りとすることができる。帯域幅情報とサービス切り換えポリシーとの間の対応関係がネットッワークノードＡとネットワークノードＦ上で予め設定される。現在の変調モードにおけるマイクロウェーブリンクの帯域幅情報を受信するとき、サービスが部分的または完全に保護パスに切り換えられるように、ネットワークノードＡおよびネットワークノードＦは帯域幅情報に対応するサービス切り換えポリシーを使用可能にする。
【００６３】
前述のことから、この実施形態において、マイクロウェーブリンクの現在の変調モードが最適変調モードよりも低い場合、マイクロウェーブリンクにより接続されたネットワークノードは現在の変調モードにおけるマイクロウェーブリンクの帯域幅情報を取得し、マイクロウェーブリンクを通過するサービス接続のエンドポイントに帯域幅情報を送信できることがわかる。したがって、サーバー接続のエンドポイントは帯域幅情報に従ってサービスポリシーを調整することができ、マイクロウェーブリンクの帯域幅がサービスの要求を満たし、サービスの混雑を回避できる。
【００６４】
本発明の一実施形態に提供されるネットワークノードを以下に説明する。図５は第１実施形態によるネットワークノードの構図を示す。
ネットワークノードは、
マイクロウェーブリンクの現在の変調モードを検出するように構成される検出ユニット５０１と、
検出ユニット５０１によって検出される現在の変調モードにおけるマイクロウェーブリンクの帯域幅情報を取得するように構成される取得ユニット５０２と、
サービス接続のエンドポイントが帯域幅情報に従ってサービスポリシーを調整するように、マイクロウェーブリンクを通過するサービス接続を介してサービス接続のエンドポイントに取得ユニット５０２によって取得された帯域幅情報を送信するように構成される送信ユニット５０３と、
を含む。
【００６５】
前述のことから、この実施形態において、ネットワークノードは現在の変調モードにおけるマイクロウェーブリンクの帯域幅情報を取得することができ、マイクロウェーブリンクを通過するサービス接続のエンドポイントに帯域幅情報を送信することがわかる。したがって、サービス接続のエンドポイントは、帯域幅情報に従ってサービスポリシーを調整することができ、マイクロウェーブリンクの帯域幅がサービスの要求を満たし、サービスの混雑を回避できる。
【００６６】
図６は第２実施形態によるネットワークノードの構造を示す。
ネットワークノードは、
マイクロウェーブリンクの現在の変調モードを検出するように構成される検出ユニット６０１と、
検出ユニット６０１によって検出される現在の変調モードが最適変調モードよりも低いかどうかを判断する判断ユニット６０２と、
検出ユニットによって検出される現在の変調モードが最適変調モードよりも低いと判断ユニット６０２が判断するとき、検出ユニットによって検出される現在の変調モードにおけるマイクロウェーブリンクの帯域幅情報を取得するように構成される取得ユニット６０３と、
サービス接続のエンドポイントが帯域幅情報に従ってサービスポリシーを調整するように、マイクロウェーブリンクを通過するサービス接続を介してサービス接続のエンドポイントに取得ユニット６０３によって取得される帯域幅情報を送信するように構成される送信ユニット６０４と、
を含む。
【００６７】
本発明の一実施形態において、現在の変調モードが最適変調モードであると判断ユニット６０２が判断するとき、送信ユニット６０４はマイクロウェーブリンクを通過するサービス接続のエンドポイントに帯域幅情報を送信するのを停止し、サービス接続のエンドポイントが通常のサービスポリシーを用いてサービス処理を実行する。
【００６８】
前述のことから、この実施形態において、マイクロウェーブリンクの現在の変調モードが最適変調モードよりも低いとき、ネットワークノードは現在の変調モードにおけるマイクロウェーブリンクの帯域幅情報を取得することができ、マイクロウェーブリンクを通過するサービス接続のエンドポイントに帯域幅情報を送信することがわかる。したがって、サービス接続のエンドポイントは帯域幅情報に従ってサービスポリシーを調整することができ、マイクロウェーブリンクの帯域幅がサービスの要求を満たし、サービスの混雑が回避できる。
【００６９】
図７は第３実施形態によるネットワークノードの構造を示す。
ネットワークノードは以下を含む。
受信ユニット７０１は、現在の変調モードにおけるマイクロウェーブリンクの帯域幅情報を受信するように構成され、帯域幅情報はマイクロウェーブリンクにより接続されたネットワークノードによって送信される。
決定ユニット７０２は、帯域幅情報とサービスポリシーとの間の予め設定された対応関係に従って、受信ユニット７０１によって受信される帯域幅情報に対応するサービスポリシーを決定する。
【００７０】
本発明の一実施形態において、決定ユニット７０２は、受信ユニット７０１が予め設定時間に帯域幅情報を受信しないとき、サービスポリシーが通常のサービスポリシーとして決定されるようにさらに構成される。
処理ユニット７０３は、決定ユニット７０２によって決定されるサービスポリシーに従ってサービス処理を実行するように構成される。
【００７１】
前述のことから、この実施形態において、ネットワークノードは現在の変調モードにおけるマイクロウェーブリンクの帯域幅情報を受信することができ、帯域幅情報はマイクロウェーブリンクにより接続されたネットワークノードによって送信され、サービスポリシーは帯域幅情報に従って調整され、マイクロウェーブリンクの帯域幅がサービスの要求を満たし、サービスの混雑が回避できることがわかる。
【００７２】
さらに、本発明の一実施形態は、通信システムを提供する。通信システムは、本発明の一実施形態に提供されるネットワークノードを含む。
【００７３】
前述の装置とシステムにおける各モジュール間の情報交換、および装置およびシステムの実施プロセスは本発明の方法実施形態と同じ概念に基づき、したがって、詳細内容は本発明の方法実施形態の説明を参照することができ、本明細書においてさらに説明を行わない。
【００７４】
当業者であれば、前述の実施形態の方法の手順の全てまたは部分がプログラム命令ハードウェアによって実施できることを理解するであろう。プログラムはコンピュータ読み取り可能な媒体に保存することができる。プログラムが実行されるとき、方法の手順は前述の実施形態である。保存媒体は磁気ディスク、リードオンリーメモリ、（Ｒｅａｄ−Ｏｎｌｙ  Ｍｅｍｏｒｙ、ＲＯＭ）またはランダムアクセスメモリ（Ｒａｎｄｏｍ  Ａｃｃｅｓｓ  Ｍｅｍｏｒｙ、ＲＡＭ）とすることができる。
【００７５】
本発明の実施形態に提供される帯域幅情報通知方法、ネットワークノード、および通信システムは詳細に前述で説明される。前述の実施形態の説明は本発明の方法および考えの理解を助けるためであり、一方当業者であれば、本発明の考えに従って特定の実施形態および用途範囲に変更を加えることができるであろう。結論として、本明細書の内容は本発明を限定するものとして解釈すべきではない。
【００７６】
本出願は、２００９年８月２１日に「ＢＡＮＤＷＩＤＴＨ  ＩＮＦＯＲＭＡＴＩＯＮ  ＮＯＴＩＦＩＣＡＴＩＯＮ  ＭＥＴＨＯＤ，ＳＥＲＶＩＣＥ  ＰＲＯＣＥＳＳＩＮＧ  ＭＥＴＨＯＤ，ＮＥＴＷＯＲＫ  ＮＯＤＥ  ＡＮＤ  ＣＯＭＭＵＮＩＣＡＴＩＯＮ  ＳＹＳＴＥＭ」の名称で中国特許庁に出願された中国特許出願第２００９１０１６７２２３．６号の優先権を主張するものであり、その全体は参照により本出願に組み込まれる。
【図１】
2013502779.tif 000003
【図２】
2013502779.tif 000004
【図３】
2013502779.tif 000005
【図４】
2013502779.tif 000006
【図５】
2013502779.tif 000007
【図６】
2013502779.tif 000008
【図７】
2013502779.tif 000009
【手続補正書】
【提出日】平成24年3月16日(2012.3.16)
【手続補正１】
【補正対象書類名】明細書
【補正対象項目名】００１０
【補正方法】変更
【補正の内容】
【００１０】
さらに、本発明の一実施形態は、
リンクの現在の帯域幅情報を受信し、帯域幅情報がリンクにより接続されたネットワークノードによって送信されるように構成される受信ユニットと、
帯域幅情報とサービスポリシーとの間の予め設定された対応関係に従って、受信ユニットによって受信される帯域幅情報に対応するサービスポリシーを決定するように構成される決定ユニットと、
決定ユニットによって決定されたサービスポリシーに従ってサービス処理を実行するように構成される処理ユニットと、
を含むネットワークノードを提供する。
【手続補正２】
【補正対象書類名】明細書
【補正対象項目名】００７６
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
リンクの現在の帯域幅情報を取得することと、
サービス接続のエンドポイントが前記帯域幅情報に従ってサービスポリシーを調整するように、前記リンクを通過する前記サービス接続を介して前記サービス接続の前記エンドポイントに前記帯域幅情報を送信することと、
を含む、帯域幅情報通知方法。
【請求項２】
前記リンクがマイクロウェーブリンクであり、前記リンクの前記現在の帯域幅情報の取得することが、
前記マイクロウェーブリンクの現在の変調モードを検出することと、
前記現在の変調モードにおける前記マイクロウェーブリンクの帯域幅情報を取得することと、
を含む、請求項１に記載の帯域幅情報通知方法。
【請求項３】
前記現在の変調モードにおける前記マイクロウェーブリンクの前記帯域幅情報を取得する前に、
前記現在の変調モードが最適変調モードよりも低いかどうかを判断し、前記現在の変調モードが前記最適変調モードよりも低い場合、前記現在の変調モードにおける前記マイクロウェーブリンクの前記帯域幅情報を取得することをさらに含む、
請求項２に記載の帯域幅情報通知方法。
【請求項４】
前記マイクロウェーブリンクの前記現在の変調モードが前記最適モードであることが検出される場合、前記サービス接続の前記エンドポイントが通常のサービスポリシーを用いてサービス処理を実行するように、前記帯域幅情報を前記サービス接続の前記エンドポイントに送信することを停止する、
請求項３に記載の帯域幅情報通知方法。
【請求項５】
警告指示抑制メッセージまたは新しい操作、管理、および保守メッセージによって前記帯域幅情報を送信する、
請求項１から４のいずれか一項に記載の帯域幅情報通知方法。
【請求項６】
リンクの現在の帯域幅情報を受信し、前記帯域幅情報が前記リンクにより接続されたネットワークノードによって送信されることと、
帯域幅情報とサービスポリシーとの間の関係に対応する予め設定に従って、前記帯域幅情報に対応するサービスポリシーを決定することと、
前記帯域幅情報に対応する前記サービスポリシーに従ってサービス処理を実行することと、
を含む、サービス処理方法。
【請求項７】
前記サービスポリシーが、サービスポリシーの品質、またはサービス切り換えポリシー、またはアクセス制御ポリシーである、
請求項６に記載のサービス処理方法。
【請求項８】
リンクの現在の帯域幅情報を取得するように構成される取得ユニットと、
サービス接続のエンドポイントが前記帯域幅情報に従ってサービスポリシーを調整するように、前記リンクを通過する前記サービス接続を介して前記取得ユニットによって取得された前記帯域幅情報を前記サービス接続の前記エンドポイントに送信するように構成される送信ユニットと、
を含む、ネットワークノード。
【請求項９】
前記リンクがマイクロウェーブリンクであり、
前記ネットワークノードが、前記マイクロウェーブリンクの現在の変調モードを検出するように構成される検出ユニットをさらに含み、
前記取得ユニットが、前記検出ユニットによって検出される前記現在の変調モードにおける前記マイクロウェーブリンクの帯域幅情報を取得するように構成される、
請求項８に記載のネットワークノード。
【請求項１０】
前記検出ユニットによって検出される前記現在の変調モードが最適変調モードよりも低いかどうかを判断するように構成される判断ユニットをさらに含み、
前記検出ユニットによって検出される前記現在の変調モードが前記最適変調モードよりも低いと前記判断ユニットが判断するとき、前記取得ユニットが、前記検出ユニットによって検出される前記現在の変調モードにおける前記マイクロウェーブリンクの帯域幅情報を取得するように構成される、
請求項９に記載のネットワークノード。
【請求項１１】
前記判断ユニットが前記マイクロウェーブリンクの前記現在の変調モードが前記最適変調モードであると判断するとき、前記サービス接続の前記エンドポイントが通常のサービスポリシーを用いてサービス処理を実行するように、前記送信ユニットが前記サービス接続の前記エンドポイントに前記帯域幅情報を送信するのを停止するようにさらに構成される、
請求項１０に記載のネットワークノード。
【請求項１２】
リンクの現在の帯域幅情報を受信するように構成され、前記帯域幅情報が前記リンクにより接続されたネットワークノードによって送信される受信ユニットと、
帯域幅情報とサービスポリシーとの間の予め設定された対応関係に従って、前記受信ユニットによって受信される前記帯域幅情報に対応するサービスポリシーを決定するように構成される決定ユニットと、
前記決定ユニットによって決定される前記サービスポリシーに従ってサービス処理を実行するように構成される処理ユニットと、
を含む、ネットワークノード。
【請求項１３】
請求項８〜１２のいずれか一項に記載のネットワークノードを含む、
通信システム。
【国際調査報告】
2013502779.tif 000010
2013502779.tif 000011
2013502779.tif 000012
2013502779.tif 000013